(57)【特許請求の範囲】
【請求項１】
１つの「折り」を構成する個々の紙をそれぞれ縦横に折畳み、これらを外側から内側に順次重ねて中綴を行い、端部を裁断することによって構成される中綴式雑誌について、各頁内に掲載対象物を割り付ける処理を行う装置であって、
割付作業を行うための画面を表示する表示手段と、
オペレータからの指示を入力する指示入力手段と、
割付処理の対象となる雑誌の縦方向の基本寸法および横方向の基本寸法を設定する基本寸法設定手段と、
割付作業を行う対象頁について、雑誌の外側から数えた折り数を示す折数情報を設定する折数情報設定手段と、
雑誌の内側へゆくに従って頁の横方向の実効寸法が縮小する程度を、オペレータの指示に基いて、「ｉ折あたり（ｉは自然数）の縮小寸法値ｋ」を示す縮小パラメータとして設定する縮小パラメータ設定手段と、
特定の対象頁について割付作業を行う旨の指示が与えられた場合に、前記対象頁について設定された折数情報と、前記横方向の基本寸法と、前記縮小パラメータとに基いて、前記対象頁の横方向の実効寸法を決定する寸法決定手段と、
縦方向に関しては前記基本寸法設定手段に設定された縦方向の基本寸法を用い、横方向に関しては前記寸法決定手段によって決定された横方向の実行寸法を用いて、前記表示手段の画面上に前記対象頁を表示させながら、オペレータの指示に基いて、掲載対象物を所定位置に所定の態様で割り付ける処理を行う割付処理手段と、
を備えることを特徴とする中綴式雑誌の頁内割付処理装置。
【請求項２】
請求項１に記載の頁内割付処理装置において、
割付処理手段が、雑誌の見開き２頁分の対象頁と、中綴を行う位置を示すセンター線と、裁断位置の目安を示す仕上がり線とを表示させる機能を有し、前記センター線と左右の仕上がり線との間隔を、横方向の実効寸法に基いて決定することを特徴とする中綴式雑誌の頁内割付処理装置。
【請求項３】
請求項２に記載の頁内割付処理装置において、
割付処理手段が、仕上がり線から所定寸法だけ内側の位置に、掲載対象物を割り付けるためのデザインエリアを示すデザイン枠を表示させる機能を有することを特徴とする中綴式雑誌の頁内割付処理装置。
【請求項４】
請求項３に記載の頁内割付処理装置において、
割付処理手段が、デザイン枠の位置に応じてノンブルの位置を決定する機能を有することを特徴とする中綴式雑誌の頁内割付処理装置。
【請求項５】
請求項１〜４のいずれかに記載の中綴式雑誌の頁内割付処理装置としてコンピュータを機能させるためのプログラムを記録したコンピュータ読み取り可能な記録媒体。
【発明の詳細な説明】
【０００１】
【発明の属する技術分野】
本発明は中綴式雑誌の頁内割付処理装置に関し、特に、コンピュータを利用してディスプレイ画面上で中綴式雑誌の各頁内に掲載対象物を割り付ける処理を行う装置に関する。
【０００２】
【従来の技術】
コンピュータを利用したＤＴＰ（Desk Top Publishing ）技術の発達により、印刷業界では、雑誌などの版面の割付処理を、コンピュータを利用したデジタル処理で行うことが一般的になってきている。雑誌の版面を構成するには、各頁の所定位置に画像や文字列などを割り付ける処理が必要になる。特に、雑誌などの商業印刷物を作成する工程では、専門のデザイナーによってこの割付処理が行われる。すなわち、デザイナーは、専用の割付処理装置を用いて、ディスプレイ画面上に、雑誌の特定頁に相当するフレームを表示させ、このフレーム上で、画像や文字列の割付位置や形態を指定してゆくことになる。このデザイナーによる割付指定の結果は、通常、割付指定紙という形式で紙面上に出力され（あるいはデジタルデータのまま出力され）、印刷会社に手渡される。印刷会社では、この割付指定紙上の指示に基いて、専門のオペレータがＤＴＰシステムに対して、製版に必要な種々の情報を入力する作業を行うことになる。
【０００３】
【発明が解決しようとする課題】
週刊誌をはじめとする種々の雑誌の中には、中綴式の製本形態を採るものが少なくない。このような中綴式雑誌では、見開き２頁分の紙面の中央が綴じられるため、雑誌の外側の頁と内側の頁とでは、頁幅の実効寸法に差が生じることになる。すなわち、雑誌の内側の頁の横幅は、外側の頁の横幅よりも小さくなり、雑誌の内側へゆけばゆくほど、横幅の実効寸法は縮小されてゆく。このため、外側の頁における割付可能な領域と、内側の頁における割付可能な領域とに差が生じてくることになる。そこで、デザイナーは、このような差を念頭におき、各頁ごとに適切な大きさのデザインエリア（掲載対象物を割り付けるための標準領域）を想定しながら割り付け作業を行う必要があった。また、デザインエリアについての調整とともに、ノンブルの位置調整も行う必要があった。
【０００４】
そこで本発明は、外側頁と内側頁との頁寸法の差を自動調整することが可能な中綴式雑誌の頁内割付処理装置を提供することを目的とする。
【０００５】
【課題を解決するための手段】
(1)   本発明の第１の態様は、１つの「折り」を構成する個々の紙をそれぞれ縦横に折畳み、これらを外側から内側に順次重ねて中綴を行い、端部を裁断することによって構成される中綴式雑誌について、各頁内に掲載対象物を割り付ける処理を行うための中綴式雑誌の頁内割付処理装置において、
割付作業を行うための画面を表示する表示手段と、
オペレータからの指示を入力する指示入力手段と、
割付処理の対象となる雑誌の縦方向の基本寸法および横方向の基本寸法を設定する基本寸法設定手段と、
割付作業を行う対象頁について、雑誌の外側から数えた折り数を示す折数情報を設定する折数情報設定手段と、
雑誌の内側へゆくに従って頁の横方向の実効寸法が縮小する程度を、オペレータの指示に基いて、「ｉ折あたり（ｉは自然数）の縮小寸法値ｋ」を示す縮小パラメータとして設定する縮小パラメータ設定手段と、
特定の対象頁について割付作業を行う旨の指示が与えられた場合に、この対象頁について設定された折数情報と、基本寸法設定手段によって設定された横方向の基本寸法と、縮小パラメータ設定手段によって設定された縮小パラメータとに基いて、この対象頁の横方向の実効寸法を決定する寸法決定手段と、
縦方向に関しては基本寸法設定手段に設定された縦方向の基本寸法を用い、横方向に関しては寸法決定手段によって決定された横方向の実行寸法を用いて、表示手段の画面上に対象頁を表示させながら、オペレータの指示に基いて、掲載対象物を所定位置に所定の態様で割り付ける処理を行う割付処理手段と、
を設けるようにしたものである。
【０００６】
(2)   本発明の第２の態様は、上述の第１の態様に係る中綴式雑誌の頁内割付処理装置において、
割付処理手段が、雑誌の見開き２頁分の対象頁と、中綴を行う位置を示すセンター線と、裁断位置の目安を示す仕上がり線とを表示させる機能を有し、センター線と左右の仕上がり線との間隔を、対象頁の横方向の実効寸法に基いて決定するようにしたものである。
【０００７】
(3)   本発明の第３の態様は、上述の第２の態様に係る中綴式雑誌の頁内割付処理装置において、
割付処理手段が、仕上がり線から所定寸法だけ内側の位置に、掲載対象物を割り付けるためのデザインエリアを示すデザイン枠を表示させる機能を有するようにしたものである。
【０００８】
(4)   本発明の第４の態様は、上述の第３の態様に係る中綴式雑誌の頁内割付処理装置において、
割付処理手段が、デザイン枠の位置に応じてノンブルの位置を決定する機能を有するようにしたものである。
【０００９】
(5)   本発明の第５の態様は、コンピュータを上述の第１〜第４の態様に係る中綴式雑誌の頁内割付処理装置として機能させるためのプログラムを、コンピュータ読み取り可能な記録媒体に記録するようにしたものである。
【００１０】
【発明の実施の形態】
以下、本発明を図示する実施形態に基いて説明する。はじめに、一般的な中綴式雑誌の基本構成を簡単に説明しておく。中綴式雑誌は、複数の「折り」から構成されている。１つの「折り」は、１枚の全版の大きな紙からなり、これを折畳み、端部を裁断することにより雑誌の複数頁が構成されることになる。図１は、３枚の「折り」によって雑誌を構成する一例を示す図である。第１の折り〜第３の折りは、いずれも全版の大きな紙からなり、これを４回折り畳むと、それぞれの「折り」が破線で示すような１６区画の領域に分割されることになる。ここで、各区画が雑誌の頁となり、表裏合わせると、１枚の「折り」によって３２頁分を構成することができる。結局、図１に示すように３枚の「折り」を用いた場合、９６頁からなる雑誌を構成することができる。
【００１１】
図２は、中綴式雑誌の構造を示す上面図である。図示のように、第１の折り〜第３の折りが、外側から内側に重ねられ、一点鎖線で示すセンター部分Ａが金具で綴じられた後、小口部分が破線で示す裁断線Ｂに沿って裁断され、更に、天地が裁断される。こうして綴じられた雑誌は、第１の折りの最も外側の右側頁が第１頁目となり、最も外側の左側頁が９６頁目となる（横書きの場合）。このような中綴式雑誌では、紙の物理的な厚みにより、各頁の横幅の実効寸法（裁断後の実際の寸法）が、個々の頁ごとに異なる。すなわち、外側の頁ほど実効寸法が大きくなり、内側の頁ほど実効寸法が小さくなる。隣接する頁同士の実効寸法は、たかだか１枚の紙の厚み程度の差しかないが、最も外側の頁と最も内側の頁とを比べると、実効寸法にはかなりの差が生じることになる。本発明に係る頁内割付処理装置は、このような頁寸法の差を自動調整しながら割り付け作業を行う機能を備えている。
【００１２】
図３は、本発明に係る中綴式雑誌の頁内割付処理装置の基本構成を示すブロック図である。この装置は、割付作業を行うための画面を表示する表示手段１０と、オペレータの指示に基いて、掲載対象物を所定位置に所定の態様で割り付ける処理を行う割付処理手段２０と、割付作業を行う対象頁についての実効寸法を決定する寸法決定手段３０と、割付処理の対象となる雑誌の基本寸法に関する情報を設定する基本寸法設定手段４０と、割付作業を行う対象頁について、雑誌の外側から数えた折り数を示す折数情報を設定する折数情報設定手段５０と、雑誌の内側へゆくに従って頁の実効寸法が縮小する程度を示す縮小パラメータを設定する縮小パラメータ設定手段６０と、オペレータからの指示を入力する指示入力手段７０とによって構成されている。もっとも、実際には、この装置はコンピュータに専用のプログラムを組み込むことにより構成される装置であり、上述した各構成要素は、コンピュータのハードウエアおよびソフトウエアによって実現される。また、このソフトウエアプログラムは、磁気ディスクや光ディスクなどのコンピュータ読み取り可能な記録媒体に記録して配付することが可能である。
【００１３】
オペレータ（デザイナー）は、まず、キーボードやマウスなどから構成される指示入力手段７０を用いて、割付処理の対象となる雑誌の基本寸法および縮小パラメータ、ならびに割付作業を行う対象頁についての折数情報を設定する。ここで、基本寸法は、作成する雑誌の１頁の基本的な大きさを示す値であり、この実施形態では、最も外側の頁の実効寸法に相当する寸法値を基本寸法として設定している。たとえば、Ａ４判の雑誌の場合、縦２９７ｍｍ、横２１０ｍｍの値が基本寸法として、基本寸法設定手段４０に設定されることになる。
【００１４】
また、縮小パラメータは、内側へゆくに従って頁の実効寸法（横幅に関する実効寸法）が縮小する程度を示す値である。上述したように、中綴式雑誌では、隣接する頁同士の実効寸法は、たかだか１枚の紙の厚み程度の差しかない。したがって、厳密には、頁の実効寸法は各頁ごとにそれぞれ異なった値を設定すべきであるが、実用上は、各頁ごとに異なる実効寸法を設定してもあまり意味がない。そこで本発明では、「折り」ごとに異なる実効寸法を設定できるようにしてある。たとえば、「折りごとに頁の横幅の実効寸法を１ｍｍずつ縮小する」という縮小パラメータを縮小パラメータ設定手段６０に対して設定した場合、Ａ４判の雑誌では、「第１の折り」に所属する各頁の横幅の実効寸法は基本寸法どおり２１０ｍｍとなるが、「第２の折り」に所属する各頁の横幅の実効寸法は基本寸法からオフセット量１ｍｍだけ縮小した２０９ｍｍとなり、「第３の折り」に所属する各頁の横幅の実効寸法は基本寸法からオフセット量２ｍｍだけ縮小した２０８ｍｍとなる。
【００１５】
一方、折数情報設定手段５０に対して設定される折数情報は、これから割付作業を行おうとする特定の対象頁が、どの「折り」に所属するかを示す値である。本実施形態に係る装置では、雑誌の見開き２頁分を割付作業の対象頁として指定し、この見開き２頁分を表示手段１０の画面上に表示させ、割付作業を行うことになる。そこで、オペレータは、この見開き２頁が所属する「折り」の番号を折数情報として、折数情報設定手段５０に設定することになる。たとえば、図２に示す構成をもった雑誌において、１８頁および１９頁からなる見開き２頁分を対象頁として割付作業を行う場合、折数情報設定手段５０に対しては、第２の折りを示す折数「２」を設定することになる。なお、１６頁および１７頁のように、異なる「折り」に跨がった見開き２頁分を対象頁とする場合には、便宜的に、いずれか一方の「折り」を指定すればよい。
【００１６】
こうして、基本寸法、縮小パラメータ、折数情報が設定され、特定の対象頁についての割付作業を行う旨の指示が与えられると、寸法決定手段３０は、これらの設定情報に基いて、対象頁の実効寸法を決定する処理を行う。たとえば、上述の例のように、基本寸法として、縦２９７ｍｍ、横２１０ｍｍなる寸法値が設定され、縮小パラメータとして、「折りごとに頁の横幅の実効寸法を１ｍｍずつ縮小する」というパラメータが設定され、折数情報として、第２の折りを示す折数「２」が設定されていた場合、横幅の実効寸法は、基本寸法値２１０ｍｍからオフセット量１ｍｍ分だけ縮小した値２０９ｍｍとなる（縦幅の実効寸法は、常に基本寸法値２９７ｍｍである）。割付処理手段２０は、こうして決定された実効寸法に基いて、表示手段１０の画面上に対象頁を表示させながら、オペレータの指示に基いて、掲載対象物を所定位置に所定の態様で割り付ける処理を行うことになる。すなわち、上述の例の場合、画面上には、縦幅が２９７ｍｍ、横幅が２０９ｍｍに対応した対象頁が表示され、オペレータは、この対象頁に対して、画像や文字列を所定位置に所定態様で割り付ける作業を行うことになる。
【００１７】
結局、オペレータが「第１の折り」に所属する頁に対して割付作業を行う場合には、基本寸法どおり、縦２９７ｍｍ、横２１０ｍｍの対象頁が表示されるが、「第２の折り」に所属する頁に対して割付作業を行う場合には、実効寸法により、縦２９７ｍｍ、横２０９ｍｍの対象頁が表示されることになり、更に、「第３の折り」に所属する頁に対して割付作業を行う場合には、実効寸法により、縦２９７ｍｍ、横２０８ｍｍの対象頁が表示されることになる。したがって、オペレータは、個々の頁の実効寸法を配慮した正確な割付作業を行うことができるようになる。なお、この実施形態に示す装置は、割付指定紙を作成する用途に利用されており、オペレータの作業に基く割付結果は、図示されていないプリンタによって、割付指定紙として出力することができる。
【００１８】
割付処理手段２０によって表示される具体的な見開き頁の一例を図４および図５に示す。図４は、折数情報設定手段５０に対して、「第１の折り」が設定された場合の表示例である。図示のとおり、この例では、雑誌の見開き２頁分の対象頁が、センター線Ｃを挟んで左右両側に表示される。センター線Ｃは、雑誌の中綴を行う位置を示しており、図２に一点鎖線で示すセンター部分Ａに対応する位置を示すことになる。罫線Ｋｘ１，Ｋｘ２，Ｋｙ１，Ｋｙ２は、基本寸法設定手段４０内に設定された基本寸法に基く幅を示す基本寸法線であり、上述の設定例の場合、基本寸法線Ｋｘ１とＫｘ２との間隔Ｌｙ＝２９７ｍｍとなり、基本寸法線Ｋｙ１，Ｋｙ２とセンター線Ｃとの間隔Ｌｘ＝２１０ｍｍとなる。この図４の例の場合、各基本寸法線Ｋｘ１，Ｋｘ２，Ｋｙ１，Ｋｙ２は、それぞれ裁断位置の目安を示す仕上がり線Ｓｘ１，Ｓｘ２，Ｓｙ１，Ｓｙ２と一致する。製本時に小口を裁断する際には、ほぼこれら仕上がり線Ｓｘ１，Ｓｘ２，Ｓｙ１，Ｓｙ２に沿った位置で裁断が行われることになる（厳密には、この「第１の折り」に所属する各頁のうち、雑誌の内側に位置する頁は、仕上がり線Ｓｙ１，Ｓｙ２より若干内側で裁断されることになる。）。なお、最も外側に表示された版面線Ｈｘ１，Ｈｘ２，Ｈｙ１，Ｈｙ２は、仕上がり線Ｓｘ１，Ｓｘ２，Ｓｙ１，Ｓｙ２より「裁ち代」の分だけ若干外側に位置する線であり、実際の版面の大きさを示す線である。版面線と仕上がり線との間の「裁ち代」の部分は、裁断によって捨てられることになる。
【００１９】
これに対して、図５は、折数情報設定手段５０に対して、「第ｎの折り（ｎ≧２）」が設定された場合の表示例である。やはり、雑誌の見開き２頁分の対象頁が、センター線Ｃを挟んで左右両側に表示されており、基本寸法線Ｋｘ１，Ｋｘ２，Ｋｙ１，Ｋｙ２および版面線Ｈｘ１，Ｈｘ２，Ｈｙ１，Ｈｙ２が表示されている。また、裁断位置の天地の目安を示す仕上がり線Ｓｘ１，Ｓｘ２は、基本寸法線Ｋｘ１，Ｋｘ２に一致する。しかしながら、裁断位置の左右の目安を示す仕上がり線Ｓｙ１，Ｓｙ２は、基本寸法線Ｋｙ１，Ｋｙ２よりも所定のオフセット量Ｑだけ内側に示されている（図示の便宜上、オフセット量Ｑの寸法は誇張されて描かれている）。このオフセット量Ｑは、縮小パラメータ設定手段６０に設定された縮小パラメータと、折数情報設定手段５０に設定された折数情報とに基いて計算される量であり、上述の設定例（ｎ＝２）の場合、Ｑ＝１ｍｍとなる。結局、図５の例では、仕上がり線Ｓｘ１とＳｘ２との間隔Ｌｙは図４の例と同様に２９７ｍｍであるが、仕上がり線Ｓｙ１，Ｓｙ２とセンター線Ｃとの間隔Ｌｘ＝２０９ｍｍとなる。同様に、ｎ＝３の場合、すなわち、オペレータが第３の折りに所属する対象頁についての割付作業を指定した場合には、オフセット量Ｑ＝２ｍｍとなり、Ｌｘ＝２０８ｍｍになる。このように、本装置では、割付作業の対象頁が所属する折りに見合った仕上がり線が表示されるようになるので、オペレータは、各頁の実効寸法を直観的に把握することができ、的確な位置に画像や文字列を割り付けることができるようになる。
【００２０】
なお、四辺を仕上がり線で囲われた矩形領域は、雑誌の１頁の物理的大きさ（実効寸法）を示す領域ということになるが、通常の雑誌では、この領域の隅々にまで画像や文字列を割り付けることは少ない。通常は、ある程度の余白を周囲に確保することにより所定のデザインエリアを定義し、このデザインエリア内に割り付けを行うことが多い。そこで、本実施形態に係る装置では、仕上がり線Ｓｘ１，Ｓｘ２，Ｓｙ１，Ｓｙ２から所定寸法だけ内側の位置に、掲載対象物を割り付けるためのデザインエリアを表示させる機能が備わっている。図４および図５において、一点鎖線で示すデザイン枠Ｄ１，Ｄ２が、このデザインエリアを示す枠である（ここでは、各デザイン枠Ｄ１，Ｄ２を一点鎖線で示してあるが、実際には、ディスプレイ画面上で他の罫線とは色を変えて表示するのが、識別性を高める上で好ましい。）。このようなデザイン枠を表示させるためには、予め、仕上がり線Ｓｘ１，Ｓｘ２，Ｓｙ１，Ｓｙ２とデザイン枠の四辺との距離ｄ１，ｄ２，ｄ３，ｄ４（図４参照）を定めておけばよい。デザイン枠は、常に、仕上がり線Ｓｘ１，Ｓｘ２，Ｓｙ１，Ｓｙ２から所定距離ｄ１，ｄ２，ｄ３，ｄ４だけ内側の線として定義されるので、図５に示すように、仕上がり線Ｓｙ１，Ｓｙ２の位置がオフセット量Ｑだけ内側に移動すると、デザイン枠Ｄ１，Ｄ２の横幅もオフセット量Ｑだけ縮小することになる。このように、デザイン枠の大きさが自動調整されるので、オペレータは、常に、現在表示されているデザイン枠を基準とした割り付けを行うだけで、的確な割付作業を行うことができる。
【００２１】
また、本実施形態に係る装置では、割付処理手段２０が、デザイン枠Ｄ１，Ｄ２の位置に応じてノンブルの位置を決定する機能を有している。通常、ノンブルと本文とは、割付位置に整合性をもたせた方が、デザイン的に好ましい。したがって、ノンブルをデザイン枠Ｄ１，Ｄ２の位置に応じて位置調整する本装置の機能は非常に有益である。図４および図５に示す例では、各デザイン枠Ｄ１，Ｄ２の下方外側位置にそれぞれノンブルＮ１，Ｎ２（ここでは、割付位置を示すコの字型記号が示されている。）が割り付けられるようにしてある。上述したように、デザイン枠Ｄ１，Ｄ２の横幅は自動調整されるため、ノンブルＮ１，Ｎ２の位置も自動調整されることになる。
【００２２】
最後に、折数情報設定手段５０および縮小パラメータ設定手段６０に対する設定操作を行うための実用的な入力インターフェイスの一例として、本実施形態に係る装置で利用されている折り情報設定ダイアログ８０を図６に示しておく。オペレータは、この折り情報設定ダイアログ８０に対して、マウスあるいはキーボードを用いて所定の入力操作を行うことにより、必要な設定を行うことができる。
【００２３】
まず、この折り情報設定ダイアログ８０の上段部分により、折数情報および縮小パラメータを設定することができる。すなわち、オペレータは、折数入力欄８１にキーボードで数値を入力することにより（あるいは、入力欄右の上下の矢印をマウスでクリックしてもよい。：以下同様）、折数（これから割付作業を行おうとする見開き２頁分が所属する「折り」を示す番号）を設定することができ、縮小パラメータ入力欄８２にキーボードで数値を入力することにより、縮小パラメータを設定することができる。この例では、縮小パラメータは、「ｉ折あたりｋｍｍ縮小」という形式で設定するようにしてある。たとえば、図示の例では、「３折あたり１．０ｍｍ縮小」というパラメータ設定がなされているが、これは、第１折目〜第３折目まではオフセット量Ｑ＝０ｍｍ、第４折目〜第６折目まではオフセット量Ｑ＝１．０ｍｍ、第７折目〜第９折目まではオフセット量Ｑ＝２．０ｍｍ、…という設定を意味する。このように、折数入力欄８１および縮小パラメータ入力欄８２への設定が完了すると、これらの設定に基いて実効寸法が計算され、実効寸法値表示欄８３（ここには、入力を行うことはできない）に計算結果が表示される。図示の例では、折数入力欄８１に折数「５」が設定されているため、オフセット量Ｑ＝１．０ｍｍとなり、対象頁の実効寸法は、縦が２９７ｍｍ、横が２０９ｍｍとなっている。
【００２４】
一方、折り情報設定ダイアログ８０の中段部分は、ノンブルに関する設定を行う部分である。まず、ノンブル指示欄８４をマウスでクリックすると、Ｘ印の表示／非表示が反転する。図示のように、Ｘ印を表示させると、上述したノンブルの自動割付機能が有効になり、各デザイン枠Ｄ１，Ｄ２の位置を基準として、ノンブルが自動割付される。ノンブル位置指定欄８５は、各デザイン枠Ｄ１，Ｄ２に対するノンブルの相対位置をＸＹ座標値で指定するための入力を行う欄であり、ノンブルサイズ指定欄８６は、割り付けられるノンブルの大きさを指定するための入力を行う欄である。
【００２５】
また、折り情報設定ダイアログ８０の下段部分は、デザイン枠に関する設定を行う部分である。まず、デザイン枠指示欄８７をマウスでクリックすると、Ｘ印の表示／非表示が反転する。図示のように、Ｘ印を表示させると、上述したデザイン枠の表示機能が有効になり、各デザイン枠Ｄ１，Ｄ２が画面上に表示されることになる。デザイン枠位置指定欄８８は、各仕上がり線Ｓｘ１，Ｓｘ２，Ｓｙ１，Ｓｙ２からの所定距離ｄ１，ｄ２，ｄ３，ｄ４を設定するための欄である。
【００２６】
オペレータは、この折り情報設定ダイアログ８０内の各欄に所望の入力を行うことにより、種々の設定を行うことが可能になる。なお、「デフォルトを設定」ボタン９１は、現在の設定値を標準設定にするためのボタンであり、「キャンセル」ボタン９２は、この折り情報設定ダイアログ８０の表示を取り消すためのボタンであり、「ＯＫ」ボタン９３は、この折り情報設定ダイアログ８０を用いた設定内容を有効に適用するためのボタンである。
【００２７】
以上、本発明を図示する実施形態に基いて説明したが、本発明はこの実施形態に限定されるものではなく、この他にも種々の形態で実施可能である。特に、図４および図５に示す表示例や、図６に示すダイアログ例は、本発明の具体的な実施例を示すものであり、このような表示例やダイアログ例に本発明が限定されるものではない。
【００２８】
【発明の効果】
以上のとおり本発明に係る中綴式雑誌の頁内割付処理装置によれば、折りごとにオフセット量を設定できるようにしたため、外側頁と内側頁との頁寸法の差を自動調整することが可能になる。
【図面の簡単な説明】
【図１】３枚の「折り」によって雑誌を構成する一例を示す図である。
【図２】図１に示す３枚の「折り」によって構成された中綴式雑誌の構造を示す上面図である。
【図３】本発明に係る中綴式雑誌の頁内割付処理装置の基本構成を示すブロック図である。
【図４】図３に示す頁内割付処理装置によって表示される具体的な見開き頁の一例を示す平面図である。
【図５】図３に示す頁内割付処理装置によって表示される具体的な見開き頁の別な一例を示す平面図である。
【図６】図３に示す頁内割付処理装置において利用されている折り情報設定ダイアログ８０を示す平面図である。
【符号の説明】
１０…表示手段
２０…割付処理手段
３０…寸法決定手段
４０…基本寸法設定手段
５０…折数情報設定手段
６０…縮小パラメータ設定手段
７０…指示入力手段
８０…折り情報設定ダイアログ
８１…折数入力欄
８２…縮小パラメータ入力欄
８３…実効寸法値表示欄
８４…ノンブル指示欄
８５…ノンブル位置指定欄
８６…ノンブルサイズ指定欄
８７…デザイン枠指示欄
８８…デザイン枠位置指定欄
９１…デフォルトを設定するボタン
９２…キャンセルボタン
９３…ＯＫボタン
Ａ…センター部分
Ｂ…裁断線
Ｃ…センター線
Ｄ１，Ｄ２…デザイン枠
ｄ１〜ｄ４…デザイン枠の四辺と仕上がり線との距離
Ｈｘ１，Ｈｘ２，Ｈｙ１，Ｈｙ２…版面線
Ｋｘ１，Ｋｘ２，Ｋｙ１，Ｋｙ２…基本寸法線
Ｌｘ，Ｌｙ…頁の実効寸法
Ｎ１，Ｎ２…ノンブルの位置指標
Ｑ…オフセット量
Ｓｘ１，Ｓｘ２，Ｓｙ１，Ｓｙ２…仕上がり線
【図１】
0004132426.tif 000002
【図２】
0004132426.tif 000003
【図３】
0004132426.tif 000004
【図４】
0004132426.tif 000005
【図５】
0004132426.tif 000006
【図６】
0004132426.tif 000007